(57)【要約】【課題】比較的小型のボンベを構成要素とし、工事規模の大型化とそれに伴う導入コストの低減を図りながら、従来の装置よりも可能な限り長時間に亘って流体を噴射することができる新規な侵入者撃退用噴射装置及び防犯システムを提案する。【解決手段】侵入者の侵入を検出する検出手段２，３と、この検出手段２，３による侵入者の検出により、ボンベ１２内の加圧流体を噴射する侵入者撃退用噴射装置９であって、上記ボンベ１２が収容されている筐体１０と、この筐体１０に配置されてなる噴射ノズル１１と、この噴射ノズル１１の基端側が挿入されてなるとともに内部には開閉弁２１が配置されてなるボンベ１２と、上記噴射ノズル１１を上記開閉弁２１に押圧し又は該ボンベを噴射ノズル１１側に押圧する押圧手段とを備えてなるとともに、上記押圧手段は間欠的動作をなす。【選択図】        図７
2006146599.tif 000002
【特許請求の範囲】
【請求項１】
侵入者の侵入を検出する検出手段と、この検出手段による侵入者の検出により、ボンベ内の加圧流体を噴射する侵入者撃退用噴射装置であって、
上記ボンベが収容されている筐体と、この筐体に配置されてなる噴射ノズルと、この噴射ノズルの基端側が挿入されてなるとともに内部には開閉弁が配置されてなるボンベと、上記噴射ノズルを上記開閉弁に押圧し又は該ボンベを噴射ノズル側に押圧する押圧手段とを備えてなるとともに、
上記押圧手段は間欠的動作をなすことを特徴とする侵入者撃退用噴射装置。
【請求項２】
前記押圧手段は、
噴射ノズルに係合してなる係合片と、この係合片に連結してなるとともにソレノイドにより該係合片を前記ボンベ方向及びその逆に駆動するプランジャーと、上記プランジャーが間欠的に駆動するよう上記ソレノイドを制御する制御手段と、
を備えてなることを特徴とする請求項１記載の侵入者撃退用噴射装置。
【請求項３】
前記押圧手段は、
前記ボンベの後端側近傍に配置され、駆動モータにより回転する回転板と、
上記回転板に回動可能に配置され外周面は該回転板の周縁よりも外側に位置してなるとともに、前記回転板の回転により前記ボンベの後方に位置したときには、該ボンベを前記噴射ノズル側に押圧する一又は複数の押圧部材と、
と備えてなることを特徴とする請求項１記載の侵入者撃退用噴射装置。
【請求項４】
前記駆動モータに接続された制御部と、
この制御部に接続されてなるとともに、前記検出手段による侵入者の検出により所定時間の計測を開始するタイマー部と、
前記回転板の近傍に配置されてなるとともに、上記制御部に接続され且つ上記タイマー部による所定時間の計測の終了により前記押圧部材の通過を検出する通過検出部と、
上記駆動モータの近傍に配置されてなるとともに、上記通過検出部による押圧部材の通過の検出により、該駆動モータの回転を停止させる制動手段と、
を備え、
上記制動手段により上記押圧部材がボンベを押圧しない位置にて上記回転板を停止させるよう構成されてなることを特徴とする請求項３記載の侵入者撃退用噴射装置。
【請求項５】
前記筐体内には一方及び他方のボンベが収容されてなるか、或いは、前記筐体は一方のボンベが収容されてなる一方の筐体と他方のボンベが収容されてなる他方の筐体とから構成され、
上記一方のボンベには一方の噴射ノズルの基端側が内部に差し込まれ、上記他方のボンベには他方の噴射ノズルの基端側が内部に挿入されてなるとともに、
上記一方及び他方のボンベの後方には、該一方のボンベを間欠的に押圧する一方の押圧手段と、他方のボンベを間欠的に押圧する他方の押圧手段とが配置されてなることを特徴とする請求項１記載の侵入者撃退用噴射装置。
【請求項６】
前記一方及び他方の押圧手段とのそれぞれが間欠的に一方のボンベ又は他方のボンベを押圧することにより、前記一方の噴射ノズルと他方の噴射ノズルとからは、交互に加圧流体が噴射されるよう構成されてなることを特徴とする請求項５記載の侵入者撃退用噴射装置。
【請求項７】
前記押圧手段は、
駆動モータと、この駆動モータの駆動力により回転するとともに前記一方のボンベの後端側に配置された一方の回転板と、上記駆動モータの駆動力により回転するとともに前記他方のボンベの後端側に配置された他方の回転板と、上記一方及び他方の回転板のそれぞれに回転可能に配置されてなり外周面は該一方又は他方の回転板の周縁よりも外側に位置してなるとともに、これら一方及び他方の回転板の回転により前記ボンベの後方に位置したときには、該ボンベを前記一方又は他方の噴射ノズル側に押圧する一又は複数の押圧部材と、上記駆動モータと一方の回転板と他方の回転板とを接続する回転駆動軸と、
を備えてなることを特徴とする請求項５又は６記載の何れかの侵入者撃退用噴射装置。
【請求項８】
前記駆動モータに接続された制御部と、
この制御部に接続されてなるとともに、前記検出手段による侵入者の検出により所定時間の計測を開始するタイマー部と、
前記一方又は他方の回転板の近傍に配置されてなるとともに、上記制御部に接続され且つ上記タイマー部による所定時間の計測の終了により前記押圧部材の通過を検出する通過検出部と、
上記駆動モータの近傍に配置されてなるとともに、上記通過検出部による押圧部材の通過の検出により、該駆動モータの回転を停止させる制動手段と、
を備え、
上記制動手段の駆動により上記押圧部材がボンベを押圧しない位置にて上記回転板を停止させるよう構成されてなることを特徴とする請求項７記載の侵入者撃退用噴射装置。
【請求項９】
前記押圧手段には、前記一方の回転板と他方の回転板とを同時に回転駆動させるか、或いは該一方の回転板と他方の回転板との何れかを回転駆動させる切換手段を備えてなることを特徴とする請求項７記載の侵入者撃退用噴射装置。
【請求項１０】
侵入者の侵入を検出する検出手段を建物の外側に設置するとともに、前記請求項１ないし９記載の何れかの侵入者撃退用噴射装置を建物の外側に設置してなることを特徴とする防犯システム。
【発明の詳細な説明】
【技術分野】
【０００１】
本発明は、不審者が、例えば住居，施設その他の建物の敷地内に侵入した際に、該侵入者に対して、催涙ガス，特殊塗料等の流体を噴射することにより撃退する侵入者撃退用噴射装置及び防犯システムに関するものである。
【背景技術】
【０００２】
これまで、不審者が住居，施設その他の建物の敷地内に侵入した際には、警報装置が作動したり、警備会社に通報したりする等の様々なシステムが提案され、また中には実施されているものがあるが、現実には、これらのシステムが作動した場合でも、警備会社が現場に駆けつけた時には、金品を強奪した侵入者が逃走した後である場合が多い。そこで、従来、こうした課題を解決するために、侵入者の検知により塗料を侵入者に噴射する侵入者撃退装置（特許文献１参照）や防犯システム（特許文献２参照）が提案されている。
【特許文献１】特開２００１−２７３５６９号公報
【特許文献２】特開２００３−２０３２７８号公報
【発明の開示】
【発明が解決しようとする課題】
【０００３】
しかしながら、上記従来の侵入者撃退装置や防犯システムでは、侵入者の侵入を検知した場合、長時間に亘って液体を噴射するシステムとする場合には、噴射される液体を貯蔵する大型のタンクの設置や、こうした大型のタンクから噴射ノズルまでの配管設備が必要不可欠となり、工事規模の大型化とそれに伴う導入コストの増大を招く。したがって、工事規模の小型化と導入コストの低減を図るためには、長時間に亘って液体を噴射する装置やシステムを採用することはできない。
【０００４】
そこで、本発明は、上述した従来の侵入者撃退装置や防犯システムが有する課題を解決するために、比較的小型のボンベを構成要素とし、工事規模の大型化とそれに伴う導入コストの低減を図りながら、従来の装置よりも可能な限り長時間に亘って流体を噴射することができる新規な侵入者撃退用噴射装置及び防犯システムを提案することを目的とするものである。
【課題を解決するための手段】
【０００５】
本発明は、上述した目的を達成するために提案されたものであり、第１の発明（請求項１記載の発明）は、侵入者撃退用噴射装置に係るものであって、侵入者の侵入を検出する検出手段と、この検出手段による侵入者の検出により、ボンベ内の加圧流体を噴射する侵入者撃退用噴射装置であって、上記ボンベが収容されている筐体と、この筐体に配置されてなる噴射ノズルと、この噴射ノズルの基端側が挿入されてなるとともに内部には開閉弁が配置されてなるボンベと、上記噴射ノズルを上記開閉弁に押圧し又は該ボンベを噴射ノズル側に押圧する押圧手段とを備えてなるとともに、上記押圧手段は間欠的動作をなすことを特徴とするものである。
【０００６】
この第１の発明に係る侵入者撃退用噴射装置は、検出手段と、筐体と、噴射ノズルと、ボンベと、押圧手段とから構成されている。上記検出手段は、侵入者の侵入を検出するものであれば、赤外線を用いたセンサでも圧力センサでも温度センサでも良く、特に限定されるものではない。また、上記筐体は内部にボンベを収容することができるものであれば、その素材，大きさ等が限定されるものではない。また、上記ボンベは、内部に加圧流体が封入されているものであれば良いが、侵入者を撃退するものであることから、例えば、催涙ガス，洗浄が困難な又は発色性の高い塗料，粘着剤等が封入されていることが好ましい。なお、このボンベには内部に後述する噴射ノズルの端部により開閉される開閉弁が設けられているものである必要がある。また、上記噴射ノズルは、ボンベ内に配置された開閉弁を開放し、或いは、ボンベが噴射ノズル側に押圧されることにより該開閉弁を押圧するものであり、ボンベの内部に封入された加圧流体を先端から噴射するものである。また、上記押圧手段は、上記噴射ノズルを上記開閉弁を押圧し又は該ボンベを噴射ノズル側に押圧するものであり、特に本発明において、この押圧手段は、間欠的動作をなすものでなければならない。すなわち、この第１の発明では、上記検出手段により侵入者の侵入を検出すると、上記押圧手段が駆動し、ボンベ内に封入された加圧流体が上記噴射ノズルから間欠的に噴射される。
【０００７】
また、第２の発明（請求項２記載の発明）は、上記第１の発明において、前記押圧手段は、噴射ノズルに係合してなる係合片と、この係合片に連結してなるとともにソレノイドにより該係合片を前記ボンベ方向及びその逆に駆動するプランジャーと、上記プランジャーが間欠的に駆動するよう上記ソレノイドを制御する制御手段と、を備えてなることを特徴とするものである。
【０００８】
この第２の発明では、上記検出手段により侵入者の侵入を検出すると、上記ソレノイドが制御手段により制御されながら電流が間欠的に印加され、こうしたソレノイドの動作により、プランジャーが間欠的に駆動する。こうしたプランジャーの間欠的動作に伴い、上記噴射ノズルは係合片を介して間欠的に上記開閉弁を開閉し、これによって、ボンベの内部に封入された圧力流体は間欠的に噴射される。
【０００９】
また、第３の発明（請求項３記載の発明）は、前記第１の発明において、前記押圧手段は、前記ボンベの後端側近傍に配置され、駆動モータにより回転する回転板と、上記回転板に回動可能に配置され外周面は該回転板の周縁よりも外側に位置してなるとともに、前記回転板の回転により前記ボンベの後方に位置したときには、該ボンベを前記噴射ノズル側に押圧する一又は複数の押圧部材と、と備えてなることを特徴とするものである。
【００１０】
この第３の発明では、上記第２の発明のように、ソレノイドを利用したものではく、回転板と、押圧部材と、駆動モータとにより、ボンベに封入された圧力流体を噴射ノズルから間欠的に噴射するものである。上記回転板は、前記ボンベの後方近傍に配置されてなるとともに駆動モータにより回転するものであり、上記押圧部材は、上記回転板に回転可能に配置されてなるものである。また、この押圧部材は、外周面が上記回転板の外縁よりも外側に位置してなるものであり、外周面により上記ボンベを噴射ノズル側に押圧する部材である。したがって、この第３の発明によれば、駆動モータの駆動により回転板が回転すると、上記押圧部材の外周面によりボンベが噴射ノズル側に押圧され、こうした動作によりボンベ内に封入された圧力流体は、間欠的に噴射ノズルから噴射される。なお、上記押圧部材は、上記回転板に対して一つ以上配置されていれば良く、その数は、回転板の径や回転速度等により適宜決定すれば良い。
【００１１】
また、第４の発明（請求項４記載の発明）は、上記第３の発明において、前記駆動モータに接続された制御部と、この制御部に接続されてなるとともに、前記検出手段による侵入者の検出により所定時間の計測を開始するタイマー部と、前記回転板の近傍に配置されてなるとともに、上記制御部に接続され且つ上記タイマー部による所定時間の計測の終了により前記押圧部材の通過を検出する通過検出部と、上記駆動モータの近傍に配置されてなるとともに、上記通過検出部による押圧部材の通過の検出により、該駆動モータの回転を停止させる制動手段と、を備え、上記制動手段により上記押圧部材がボンベを押圧しない位置にて上記回転板を停止させるよう構成されてなることを特徴とするものである。
【００１２】
この第４の発明では、前記検出手段により侵入者の侵入が検出されると、駆動モータの駆動が開始するとともにタイマー部による時間の計測が開始される。そして、上記タイマー部により所定の時間の計測が完了すると、上記駆動モータの駆動が停止するとともに、上記通過検出部が上記押圧部材の検出を開始し、該通過検出部による押圧部材の通過が検出されると、制動手段が駆動し、惰性で回転する駆動モータを強制的に停止させる。
【００１３】
また、第５の発明（請求項５記載の発明）は、前記第１の発明において、前記筐体内には一方及び他方のボンベが収容されてなるか、或いは、前記筐体は一方のボンベが収容されてなる一方の筐体と他方のボンベが収容されてなる他方の筐体とから構成され、上記一方のボンベには一方の噴射ノズルの基端側が内部に差し込まれ、上記他方のボンベには他方の噴射ノズルの基端側が内部に挿入されてなるとともに、上記一方及び他方のボンベの後方には、該一方のボンベを間欠的に押圧する一方の押圧手段と、他方のボンベを間欠的に押圧する他方の押圧手段とが配置されてなることを特徴とするものである。
【００１４】
上記第５の発明においては、一方及び他方のボンベが構成要素とされ、それぞれのボンベに対応した（一方及び他方の）押圧手段が設けられてなるとともに、これら一方及び他方の押圧手段は、それぞれ一方のボンベ又は他方のボンベを間欠的に押圧するよう構成されている。
【００１５】
また、第６の発明（請求項６記載の発明）は、上記第５の発明において、前記一方及び他方の押圧手段とのそれぞれが間欠的に一方のボンベ又は他方のボンベを押圧することにより、前記一方の噴射ノズルと他方の噴射ノズルとからは、交互に加圧流体が噴射されるよう構成されてなることを特徴とするものである。
【００１６】
この第６の発明では、一方の押圧手段も他方の押圧手段もそれぞれ間欠的に一方又は他方のボンベを押圧することから、一方の噴射ノズル又は他方の噴射ノズル単体から間欠的に加圧流体が噴射されるばかりではなく、例えば、一方の噴射ノズルから加圧流体が噴射された後には、他方の噴射ノズルから加圧流体が噴射され、この後に上記一方の噴射ノズルから加圧流体が噴射されるというように、一方の噴射ノズルと他方の噴射ノズルとから交互に加圧流体が噴射されるものである。
【００１７】
また、第７の発明（請求項７記載の発明）は、前記第５の発明又は第６の発明の何れかの発明において、前記押圧手段は、駆動モータと、この駆動モータの駆動力により回転するとともに前記一方のボンベの後端側に配置された一方の回転板と、上記駆動モータの駆動力により回転するとともに前記他方のボンベの後端側に配置された他方の回転板と、上記一方及び他方の回転板のそれぞれに回転可能に配置されてなり外周面は該一方又は他方の回転板の周縁よりも外側に位置してなるとともに、これら一方及び他方の回転板の回転により前記ボンベの後方に位置したときには、該ボンベを前記一方又は他方の噴射ノズル側に押圧する一又は複数の押圧部材と、上記駆動モータと一方の回転板と他方の回転板とを接続する回転駆動軸と、を備えてなることを特徴とするものである。
【００１８】
この第７の発明は、上記第５の発明との関係においては、一方のボンベと他方のボンベとを交互に押圧する押圧手段として、該一方のボンベと他方のボンベの後方に一方及び他方の回転板を配置するとともに、該一方及び他方の回転板には一方のボンベ又は他方のボンベを押圧する押圧部材を配置し、該一方及び他方の回転板を駆動モータにより回転する回転駆動軸により回転させ、こうした一方及び他方の回転軸の回転により、上記一方及び他方の噴射ノズルから間欠的に加圧流体が噴射されるものであり、さらに、第６の発明との関係においては、例えば、上記一方の回転板と他方の回転板とにそれぞれ配置された押圧部材の配置位置は、例えば、該押圧部材が一方及び他方の回転板にそれぞれ一つ配置されている場合には、互いに１８０度、それぞれ二つずつ等間隔に配置されている場合には、互いに９０度、三つずつ等間隔に配置されている場合には４５度ずつずれた位置とすることにより、上記一方の噴射ノズルと他方の噴射ノズルとからは交互に加圧流体が噴射される。
【００１９】
また、第８の発明（請求項８記載の発明）は、上記第７の発明において、前記駆動モータに接続された制御部と、この制御部に接続されてなるとともに、前記検出手段による侵入者の検出により所定時間の計測を開始するタイマー部と、前記一方又は他方の回転板の近傍に配置されてなるとともに、上記制御部に接続され且つ上記タイマー部による所定時間の計測の終了により前記押圧部材の通過を検出する通過検出部と、上記駆動モータの近傍に配置されてなるとともに、上記通過検出部による押圧部材の通過の検出により、該駆動モータの回転を停止させる制動手段と、を備え、上記制動手段の駆動により上記押圧部材がボンベを押圧しない位置にて上記回転板を停止させるよう構成されてなることを特徴とするものである。
【００２０】
この第８の発明は、単一のボンベを構成要素とする上記第４の発明と同じように、前記検出手段により侵入者の侵入が検出されると、駆動モータの駆動が開始するとともにタイマー部による時間の計測が開始される。そして、上記タイマー部により所定の時間の計測が完了すると、上記駆動モータの駆動が停止するとともに、上記通過検出部が上記押圧部材の検出を開始し、該通過検出部による押圧部材の通過が検出されると、制動手段が駆動し惰性で回転する駆動モータを強制的に停止させる。
【００２１】
また、第９の発明（請求項９記載の発明）は、前記第７の発明において、前記押圧手段には、前記一方の回転板と他方の回転板とを同時に回転駆動させるか、或いは該一方の回転板と他方の回転板との何れかを回転駆動させる切換手段を備えてなることを特徴とするものである。
【００２２】
この第９の発明では、前記駆動モータの駆動により一方の回転板と他方の回転板とが同時に回転する場合には、前記第８の発明のように、一方のボンベと他方のボンベ内に封入された加圧流体が噴射ノズルから交互に噴射されるが、切換手段により、一方の回転板又は他方の回転板が回転駆動されるように切り換えられた場合には、一方又は他方のボンベ内の加圧流体が噴射ノズルから間欠的に加圧流体が噴射される。
【００２３】
また、第１０の発明（請求項１０記載の発明）は、防犯システムに係るものであって、侵入者の侵入を検出する検出手段を建物の外側に設置するとともに、上記第１ないし第９の何れかの侵入者撃退用噴射装置を建物の外側に設置してなることを特徴とするものである。
【発明の効果】
【００２４】
上記第１の発明（請求項１記載の発明）に係る侵入者撃退用噴射装置によれば、侵入者に対して噴射されるべき加圧流体が封入されたボンベを比較的小型のものを使用した場合であっても、間欠的に該加圧流体が噴射されるので、継続的に噴射される場合に比べて長時間噴射することができる。換言すれば、この第１の発明によれば、間欠的動作をなす押圧手段によりボンベに封入された加圧流体を噴射ノズルから完結的に噴射させる構成を採用することにより、比較的小型のボンベを使用することができ、このため大型のボンベ（タンク）の設置作業や該大型のボンベ（タンク）から噴射ノズルまでの配管作業、さらにはこうした作業に伴う導入コストの低減を図ることができる。また、こうした小型のボンベを使用することができるため、大型のボンベ（タンク）を交換したり加圧流体を充填したりする作業に比べ、単に交換するのみで足りることから、その交換作業は極めて簡単且つ迅速に行うことができる。
【００２５】
また、第２の発明（請求項２記載の発明）では、制御手段により制御されるソレノイドとプランジャーと係合片とにより、ボンベの内部に封入された圧力流体を間欠的に噴射ノズルから噴射させるものであることから、機械的動作により間欠的に噴射させる構成に比べ構成も簡素となり小型化に大きく貢献するとともに低コストで製造することができる。
【００２６】
また、第３の発明（請求項３記載の発明）では、回転板の回転に伴い移動する押圧部材によりボンベの後端を噴射ノズル側に押圧するものであることから、該ボンベ内に配置された開閉弁が固く、強い力で開放する必要がある場合には、上記第２の発明を構成するソレノイドの駆動による場合では大型のものを配置しなければならならず、この結果装置全体が大型化する可能性がある一方、この第３の発明によれば、比較的小型の回転板及び押圧部材で強い力を確保することができ、装置全体の小型化に大きく寄与することができる。特に、この第３の発明では、押圧部材は上記回転板に対して回動可能に配置されてなることから、ボンベの後端を押圧する際に、駆動モータに対して大きな負荷を与えることが防止できるとともに、該押圧部材の周面とボンベの後端面との間できしみ音や雑音が発生する可能性も低減することができる。
【００２７】
また、第４の発明（請求項４記載の発明）では、タイマー部による時間の計測が完了すると、駆動モータの駆動が停止することから、同一のボンベを比較的長時間使用することができ、頻繁に交換する必要がない。さらに、この第４の発明では、駆動モータの駆動が停止するとともに、上記通過検出部による押圧部材の通過が検出されると、制動手段が駆動し惰性で回転する駆動モータを強制的に停止させることから、駆動モータが停止するタイミングによっては、押圧部材によりボンベを押圧したままの状態（加圧流体が噴射ノズルから噴射したままの状態）で停止してしまう危険性を有効に防止することができる。
【００２８】
また、第５の発明（請求項５記載の発明）では、一方及び他方のボンベが構成要素とされていることから、一本のボンベが構成要素とされている場合に比べ広範囲に亘って加圧流体を噴射することができ、侵入者の撃退効果を著しく高めることができる。
【００２９】
また、第６の発明（請求項６記載の発明）では、それぞれのボンベに対応した押圧手段が設けられてなるとともに、該押圧手段は、一方のボンベと他方のボンベとを交互に押圧するよう構成されていることから、単一のボンベを構成要素とした場合に比べて２倍の時間に亘って使用を継続することができ、ボンベを頻繁に交換する必要がない。
【００３０】
また、第７の発明（請求項７記載の発明）では、上記第３の発明と同じように、比較的小型の回転板及び押圧部材で強い力を確保することができるとともに、駆動モータに対して大きな負荷を与えることが防止でき、また、押圧部材とボンベの後端面との間できしみ音や雑音が発生する可能性も低減することができる。
【００３１】
また、第８の発明（請求項８記載の発明）によれば、第４の発明と同じように、タイマー部による時間の計測の完了により駆動モータの駆動が停止することから、同一のボンベを比較的長時間使用することができ、何度も交換する必要がなく、さらに、押圧部材によりボンベを押圧したままの状態（加圧流体が噴射ノズルから噴射したままの状態）で停止してしまう危険性を有効に防止することができる。
【００３２】
また、第９の発明（請求項９記載の発明）によれば、切換手段により、一方のボンベと他方のボンベ内に封入された加圧流体が噴射ノズルから交互に噴射される場合と、一方又は他方の噴射ノズルの何れかから加圧流体が噴射される場合とを選択することができることから、この侵入者撃退用噴射装置の設置数、設置される場所或いは噴射される場所の広さ，設置高さ等の各種の環境に応じて、一つの装置により、侵入者を撃退する上で最も効果的なパターンを選択することができる。
【００３３】
また、第１０の発明（請求項１０記載の発明）によれば、これまでの防犯システムに比べ、侵入者が住居や事務所などの建物の外側において（金品の強奪のため建物内に侵入する前段階において）、侵入者を撃退することができるので、より一層防犯効果を高めることができ、さらには、窓ガラスやドア等が侵入者により破壊される危険性も予防することができる。
【発明を実施するための最良の形態】
【００３４】
以下、本発明を実施するための最良の形態に係る防犯システムを、図面を参照しながら詳細に説明する。
【００３５】
この防犯システムは、図１に示す敷地内に設置されてなるものであり、第１乃至第５のセンサ１・・・５と、スピーカ６と、センサライト７と、フラッシュライト８と、侵入者撃退用噴射装置（以下、噴射装置という。）９と、を備えている。上記第１のセンサ１は、赤外線が発光する発光部１ａと、この発光部１ａから発光された赤外線を受光する受光部１ｂとからそれぞれ構成され、正面入口Ｉからの侵入を検出する部位、この正面入口Ｉの隣に設けられた庭Ｇからの侵入を検出する部位、この庭Ｇの隣に設けられた車庫Ｐからの侵入を検出する部位、敷地の左右両側からの侵入を検出する部位、敷地の裏手からの侵入を検出する部位にそれぞれ設置されている。また、上記第２のセンサ２は、上記第１のセンサ１と同じように、赤外線が発光する発光部２ａと、この発光部２ａから発光された赤外線を受光する受光部２ｂとからそれぞれ構成され、建物Ｓの窓際（建物Ｓの近傍）への侵入を検出するものである。この第２のセンサ２は、本発明を構成する検出手段であり、この実施の形態においては、建物Ｓの正面側に二つ、裏手側に一つ設置されている。また、第３のセンサ３は、上記第２のセンサ２が設置された場所に対応して設置されたものであり、侵入者の体温を検出するもの（パッシブセンサ）であり、具体的には、建物Ｓの外壁又は軒下等に設置されている。なお、本実施の形態においては、この第３のセンサ３も本発明を構成する検出手段である。すなわち、後述するように、この防犯システムでは、噴射装置９は、上記第２のセンサと第３のセンサ３との両方により侵入者が侵入した場合に駆動を開始するように構成されている。また、第４のセンサ４は、全ての窓に配置されてなるものであり、具体的には図示しない窓ガラスの開放を検出するマグネットセンサである。また、第５のセンサ５は、窓ガラスに配置されてなるものであり、該窓ガラスが割られた（切断された場合も含む。）ことを検出するものである。
【００３６】
また、上記センサライト７は、この実施の形態においては、上記建物Ｓの左右両側に一つずつ設置されてなるものであり、上記第１ないし第５のセンサ１・・・５とは別個に独自にセンサを有し、このセンサにより侵入者を検出した場合には、それぞれ一定時間発光するライトである。また、上記フラッシュライト８は、上記建物Ｓの正面側に設置されてなるものであり、上記第１のセンサ１の何れかにより侵入者を検出した場合に発光するものである。また、上記スピーカ６は、建物Ｓの裏手側に設置されてなるものであり、上記フラッシュライト８と同様に、上記第１のセンサ１の何れかにより侵入者を検出した場合、予め所定の記録媒体に記録され、侵入者を威嚇し又は注意を喚起させる所定の音声が発せられるものである。なお、この実施の形態では、上記フラッシュライト８は建物Ｓの正面側に、スピーカ６は建物Ｓの裏手側にそれぞれ一つずつ設置されているが、建物Ｓの正面側にもスピーカ６を設置し、裏手側にもフラッシュライト８を設置しても良い。また、この建物Ｓの正面側に設けられた門扉（符号は省略する。）と、自動車Ｍを駐車するガレージ（符号は省略する。）には、それぞれこの防犯システムをオン・オフ操作する切換スイッチＳ１，Ｓ２が設けられている。なお、この防犯システムには、上記各センサ１・・・５，スピーカ６，フラッシュライト８，後述する噴射装置９並びに上記切換スイッチＳ１，Ｓ２にそれぞれ接続された図示しない制御盤を備え、また、この制御盤は、電話回線又は無線により図示しない警備会社のホストコンピュータに接続されている。
【００３７】
また、上記噴射装置９は、図２及び図３に示すように、筐体１０と、この筐体１０の正面に先端が露出してなる噴射ノズル１１とを備えている。上記筐体１０は、図４に示すように、ボンベ１２の先端側を収容する一方の筐体半体１３と、他方の筐体半体１４と、上記一方及び他方の筐体半体１３，１４の後ろ側に螺着されるとともにボンベ１２の後端側が収容される蓋体１５とから構成されている。なお、この筐体１０内に収容されるボンベ１２は、図４に示すように、内部に図示しない催涙ガス（本発明を構成する流体）が封入（圧入）されているボンベ本体１６と、このボンベ本体１６の先端に固定されてなる蓋体１７とを備え、この蓋体１７の中心には、上記噴射ノズル１１の基端側が挿入される挿入孔１７ａが形成されている。また、このボンベ１２の内部は、図５に示すように、上記蓋体１７の裏面に円筒状のハウジング１８が螺着され、このハウジングの１８の内側には弁ケース１９と、ケース蓋２０が固定されている。なお、このケース蓋２０の中央には、上記挿入孔１７ａに連通した開口２０ａが形成されている。そして、上記弁ケース１９の内側には、開閉弁２１と、この開閉弁２１を上記ケース蓋２０の背面に押圧し閉塞状態とする弾性部材２２が収容されている。なお、上記弁ケース１９の正面側には開放されているとともに先端面は上記ケース蓋２０の背面に当接している。また、上記開閉弁２１は、上記噴射ノズル１１の基端が当接する円形状の当接面２１ａと、この当接面２１ａの外周に形成され、上記弾性部材２２の弾性力により上記ケース蓋２０の背面に圧接される枠状のシール部２１ｂと、上記当接面２１ａが形成された部位の後方からさらに後方に延設された軸部２１ｃとを備えている。なお、上記弁ケース１９には、催涙ガスが流入する流入穴１９ａが形成されている。一方、上記噴射ノズル１１は、中心に催涙ガスが通る通路１１ａが形成されているとともに、基端側には、外側から上記通路１１ａに連通した２つの流入用開口１１ｂ，１１ｃが形成されている。したがって、上記噴射ノズル１１の基端側を、図５に示すように、上記挿入孔１７ａから挿入し、上記開閉弁２１の当接面２１ａに当接させ、そのままさらに上記弾性部材２２の弾性力に抗して押圧すると、上記開閉弁２１を構成する当接面２１ａとケース蓋２０の背面とが離間し、この結果内部に封入されている催涙ガスが、上記噴射ノズル１１に形成された２つの流入用開口１１ｂ，１１ｃから通路１１ａ内に流入し、先端から噴射される。
【００３８】
また、上記一方及び他方の筐体半体１３，１４並びに蓋体１５は、何れも合成樹脂により一体成形されてなるものであり、該一方の筐体半体１３は、図４に示すように、正面板部１３ａと、側板部１３ｂと、筒状半体部１３ｃとを備え、内側には、上記ボンベ１２の先端側の約半分が収容される収容空間が形成されている。なお、上記筒状半体部１３ｃは、外周面にネジ１３ｄが形成されている。また、上記一方の筐体半体１３を構成する上記正面板部１３ａには一方の円弧状切欠き１３ｅ（図３参照）が形成されている。また、上記正面板部１３ａの後方には、図４に示すように、上記収容空間内に収容されたボンベ１２の先端面が当接する当接板部２５が形成されている。なお、この当接板部２５の中央には、上記噴射ノズル１１が挿通される第１の挿通孔２５ａが形成されている。
【００３９】
また、上記側板部１３ｂの内側であって上記収納空間内に収納されたボンベ１１の側方には、収容ボックス２６と、この収容ボックス２６内に収容されたソレノイド２７が配置されている。また、このソレノイド２７は、図６に示すように、該ソレノイド２７に通電されると前進するプランジャー２８が挿入され、このプランジャー２８の先端は係合片２９の一端に回動可能に連結されている。この係合片２９は、上記正面板部１３ａと上記当接板部２５との間に配置されてなるとともに、一端は上記プランジャー２８に回動可能に連結され、他端は蝶番３０を介して固定板３１の先端に対して回動可能に連結されている。また、この係合片２９の中央には、図５に示すように、上記当接板部２５に形成された第１の挿通孔２５ａと同一の中心を有する第２の挿通孔２９ａが穿設されている。また、上記固定板３１は、上記ソレノイド２７との間に上記ボンベ１２を介して対峙した位置に固定されてなるものであり、この固定板３１の外側には、図７に示すように、制御基板３３が固定されている。そして、この制御基板３３には、複数の電子デバイス３４が実装されている。なお、これらの電子デバイス３４には、該ソレノイド２７に対して間欠的に電流を印加する制御手段としての記憶部に接続された中央演算処理装置（符号は省略する。）が含まれており、この記憶部に接続された中央演算処理装置は、図示しない前記制御盤に接続されている。また、この記憶部に接続された中央演算処理装置には、後述する動作により侵入者の侵入が検出された場合に時間の計測を開始するタイマーに接続されている。なお、上記噴射ノズル１１のほぼ中央には大径部１１ｄが形成されている。この大径部１１ｄは、上記第１の挿通孔２５ａ及び第２の挿通孔２９ａの径よりも大径とされている。また、上記大径部１１ｄの長さは、上記当接板２５と係合片２９との間の距離よりもやや短いものとされている。そして、上記当接板２５と係合片２９との間には、該係合片２９を当接板２５から離間する方向に付勢するコイルスプング３５が配置されている。
【００４０】
また、上記他方の筐体半体１４は、略上記一方の筐体半体１３と対称形状に成形されてなるものであり、図２及び図３に示すように、正面板部１４ａと、側板部１４ｂと、筒状半体部１４ｃ（図４参照）とを備え、内側には、上記ボンベＢの先端側の半分が収容される収容空間が形成されている。なお、上記筒状半体部１４ｃは、外周面にネジ１４ｄが形成されている。また、上記正面板部１４ａには、他方の円弧状切欠き１４ｅが形成され、この他方の円弧状切欠き１４ｅと上記一方の筐体半体１３の正面板部１３ａに形成された一方の円弧状切欠き１３ｅとにより、上記噴射ノズル１１の先端側が挿通される円形状の開口が形成されている。
【００４１】
また、上記蓋体１５は、図４に示すように、背面が閉塞された円筒体からなるものであり、内部には上記ボンベ１１の約半分を収容する収容空間が形成されている。また、この蓋体１５の先端側内周面には、一方の筐体半体１３を構成する筒状半体部１３ｃの外周面に形成されたネジ１３ｄと、他方の筐体半体１４を構成する筒状半体部１４ｃとの外周面に形成されたネジ１４ｄとに螺着するネジ１４ｄが形成されている。
【００４２】
そして、上述した防犯システムでは、侵入者が敷地内に侵入したことが図１に示す上記第１のセンサ１により検出された場合には、上記フラッシュライト８が点灯し、或いは、上記スピーカ６から侵入者を威嚇し又は注意を喚起する音声が発せられる。そしてさらに、侵入者が建物Ｓに近づき、前記第２のセンサ２と第３のセンサ３との両方（本発明を構成する検出手段）により侵入者の侵入を検出した場合には、上記噴射装置９から催涙ガスが所定の時間間欠的に噴射される。すなわち、前記第２のセンサ２と第３のセンサ３との両方により侵入者が侵入したことを検出した場合には、上記タイマーが時間（本例では５秒）の計測を開始するとともに、該記憶部に接続された中央演算処理装置を介して、上記ソレノイド２７に電流が間欠的に印加され、これにより上記プランジャー２８が（５秒間）進退動作を繰り返す。そして、上記ソレノイド２７に電流が印加されると、図６に示す状態から図７に示すように、それまで後方に位置していたプランジャー２８が前方に前進させられ、電流の印加が停止されると、上記コイルスプング３５の弾性力により再び後退する。すなわち、上記ソレノイド２７に対する間欠的な電流の印加により、上記プランジャー２８，係合片２９も間欠的に前後方向に移動するとともに、上記噴射ノズル１１もボンベ１２方向及びその逆方向に移動する。そして、この噴射ノズル１１がボンベ１２方向に移動した場合には、前述したように、該ボンベ１２に内蔵された開閉弁２１が後方に移動することによって、該開閉弁２１を構成する当接面２１ａとケース蓋２０の背面とが離間し、この結果、内部に封入されている催涙ガスが、上記噴射ノズル１１に形成された２つの流入用開口１１ｂ，１１ｃから通路１１ａ内に流入し、先端から噴射される。すなわち、上記ソレノイド２７に対する間欠的な電流の印加により、噴射ノズル１１からは催涙ガスが間欠的に噴射される。
【００４３】
なお、所定時間或いは数回に亘って噴射ノズル１１から催涙ガスが噴射され、その結果ボンベ１２内の催涙ガスが空になった場合には、上記蓋体１５を取り外すとともに、新たなボンベ１２の先端面が上記当接板２５に当接するまで挿入し、再び上記蓋体１５を取り付ければ良い。
【００４４】
このように、上記噴射装置９を用いた防犯システムによれば、建物Ｓの外側において（金品の強奪のため建物内に侵入する前段階において）、侵入者を撃退することができるので、より一層防犯効果を高めることができ、さらには、窓ガラスやドア等が侵入者により破壊される危険性も予防することができる。特に、この防犯システムでは、上記噴射装置９による催涙ガスの噴射は、光により侵入者を検出する上記第２のセンサ２と温度差を検出する第３のセンサ３との双方がオンすることが条件とされていることから、猫や犬等の小動物が建物Ｓに接近したことによって誤って催涙ガスが噴射されることがない。また、上記噴射装置９は、内部に封入された催涙ガスが間欠的に噴射するよう構成されていることから、長時間に亘って１つのボンベ１２を使用することができる。このため、催涙ガスを封入する大型のタンクを設置する必要が無く、防犯システムを設置するための工期を短縮することができ、また導入コストを低減することができる。しかも、上記実施の形態に係る噴射装置９では、上記蓋体１５を回動操作することにより簡単にボンベＢを交換することができるので、ボンベＢの交換作業はこの防犯システムの導入者にも任せることができる。
【００４５】
なお、上記実施の形態では、本発明に係る噴射装置の構成要素である押圧手段に関し、ソレノイド２７をその構成要素として用いたが、本発明は、こうしたソレノイド２７を構成要素するものばかりではなく、駆動モータにより回転する回転板及びこの回転板に固定された押圧部材を構成要素とし、この押圧部材によりボンベを前方に押圧するよう構成されたものであっても良い。そこで、以下、第２の実施の形態に係る噴射装置について図面を参照しながら詳細に説明する。
【００４６】
この第２の実施の形態に係る噴射装置４０は、図８及び図９に示すように、全体がやや拳銃の如き形状に成形されてなるものであり、合成樹脂により左右対称形状に成形された一方の筐体半体４１と、他方の筐体半体４２からなる筐体４３と、この筐体４３の先端の中心から先端側外部に露出してなる噴射ノズル４４と、上記筐体４３の内部に配置された後述するボンベ、押圧手段等から構成されている。そして、上記一方の筐体半体４１には、図１０に示すように、二点鎖線で示すボンベ４５が収容される収容空間が形成され、この収容空間に収容されたボンベ４５の先端側には、上記噴射ノズル４４が配置されている。なお、上記収納空間は、上記ボンベ４５の長さよりもやや長い空間とされ、後述する押圧部材により、このボンベ４５が前方に押圧されることにより該ボンベ４５に内蔵された開閉弁が噴射ノズル４４の基端により後方に移動できるようにされている。そして、上記噴射ノズル４４は、基本的に前記第１の実施の形態で説明した噴射ノズル１１と同じものであり、中心にはボンベ４５に封入された催涙ガスが通る図示しない通路が形成されているとともに、ボンベ４５内に挿入されている基端側には、外側から上記通路に連通した２つの流入用開口（符号は省略する。）が形成されている。また、この噴射ノズル４４の中央には大径リング４６と小径リング４７とが固定されており、上記一方の筐体半体４１（及び他方の筐体半体４２）には、上記噴射ノズル４４の左側半分（右側半分）の外形形状に対応した嵌合部（符号は省略する。）が形成されている。また、上記一方の筐体半体４１には、上記ボンベ４５の後方に、本発明を構成する押圧手段として、駆動モータ４９と、減速機５０と、回転軸５１と、一方及び他方の回転板５２，５３と、六つの押圧部材５４とが配置されている。上記減速機５０は、上記駆動モータ４９の回転速度を減速するものであり、この減速機５０には上記回転軸５１が連結され、さらにこの回転軸５１には、互いに対向してなる上記一方及び他方の回転板５２，５３の中心が固定されている。これら一方及び他方の回転板５２，５３は、それぞれ円板状に成形されてなるものであり、該一方の回転板５２と他方の回転板５３との間には、上記六つの押圧部材５４が、図示しない固定軸を中心に回転自在に配置されている。これらの押圧部材５４は、図１１に示すように、それぞれ円板状に成形されてなるとともに、上記一方及び他方の回転板５２，５３の周方向に６０度ずつずれた位置に配置されている。また、これらの押圧部材５４の外周面は、上記一方及び他方の回転板５２，５３の外周面よりも外側に位置している。なお、上記回転軸５１の先端側及び基端側には、それぞれ上記一方及び他方の回転板５２，５３を挟んだ状態で固定する固定リング５５，５６が固定されている。
【００４７】
また、上記一方及び他方の回転板５２，５３の近傍には、該一方及び他方の回転板５２，５３の回転により上記各押圧部材５４と接触する位置検出スイッチ５７が配置されている。また、上記駆動モータ４９と減速機５０の側方には、制御基板５８が固定され、この制御基板５８には、記憶部に接続された中央演算処理装置その他の電子デバイス（符号は省略する。）が実装されており、上記駆動モータ４９及び上記位置検出スイッチ５７に接続されてなるとともに、前記実施の形態で説明した防犯システムを構成する制御盤に接続されている。また、上記記憶部に接続された中央演算処理装置には、前記実施の形態で説明した第２及び第３のセンサ２，３の両方により侵入者の侵入が検出されたときから所定の時間（本例では５秒）を計測する図示しないタイマーが接続されている。また、上記駆動モータ４９と減速機５０の近傍には、本発明を構成する制動手段としての回生ブレーキ５９が配置され、この回生ブレーキ５９は、上記記憶部に接続された中央演算処理装置に接続されている。
【００４８】
なお、上記一方及び他方の筐体４１，４２の正面には、図８に示すように、前方に円弧状に膨出した膨出部４１ａ，４２ａが形成され、これらの膨出部４１ａ，４２ａには、上記噴射ノズル４４が挿通される半円形の切欠き部（符号は省略する。）が形成されている。また、上記一方及び他方の筐体４１，４２の下面側には、該一方及び他方の筐体４１，４２を互いに固定する図示しないボルトが挿通される挿通穴４１ｂ，４２ｂが形成された下方膨出部４１ｃ，４２ｃが形成されており、これら下方膨出部４１ｃ，４２ｃの後方には、内部に上記駆動モータ４９や制御基板５８が収容される収容空間を備えた後側膨出部４１ｄ，４２ｄが形成されている。
【００４９】
以下、上述した噴射装置４０の動作に付いて詳細に説明する。先ず、前述した防犯システムにおいて、前記第２及び第３のセンサ２，３の両方により侵入者の侵入が検出されると、上記制御基板５８に実装された記憶部に接続された中央演算処理装置を介して駆動モータ４９が回転駆動を開始するとともに、上記タイマーにより時間の計測が開始される。そして、上記駆動モータ４９の回転駆動により上記減速機５０を介して回転軸５１が回転し、同時に一方及び他方の回転板５２，５３が回転し、上記押圧部材５４の外周面により、ボンベ４５は上記収容空間内においてやや前方に移動させられ、この結果、図１２に示すように、噴射ノズル４４の基端により該ボンベ４５に内蔵された開閉弁が押圧され、該開閉弁を構成する当接面とケース蓋の背面とが離間して、内部に封入されている催涙ガスが上記噴射ノズル４４に形成された２つの流入用開口から通路内に流入し、先端から噴射される。そして、さらに一方及び他方の回転板５２，５３が回転し、それまでボンベ４５を押圧していた押圧部材５４が逃げると、ボンベに内蔵された弾性部材の弾性力により、再びボンベ４５は後方に移動する。この動作により、それまでの催涙ガスの噴射は停止され、次ぎの押圧部材により再び噴射される。すなわち、上記一方及び他方の回転板５２，５３の回転とこれに伴い移動する押圧部材５４により、噴射ノズル４４からは間欠的に催涙ガスが噴射される。
【００５０】
そして、上記タイマーにより、上記第２及び第３のセンサ２，３の両方により侵入者の侵入が検出された時点から所定の期間が経過したと記憶部に接続された中央演算処理装置により判別されると、上記駆動モータ４９は停止するとともに、上記位置検出スイッチ５７に通電されスイッチとしての機能が付与される。そして、その後に、この位置検出スイッチ５７に上記押圧部材５４が接触すると、上記回生ブレーキ５９（図１０参照）に通電され、惰性で回転する上記一方及び他方の回転板５２，５３が停止され、図１１に示すように、押圧部材５４がボンベ４５を前方に押圧しない位置で停止する。
【００５１】
したがって、上述した第２の実施の形態に係る噴射装置４０による場合であっても、前記第１の実施の形態で説明した噴射装置９と同じように、ボンベ４５に封入された催涙ガスを間欠的に噴射させることができ、長時間に亘って１つのボンベ４５を使用することができる。特に、上記第２の実施の形態に係る噴射装置４０によれば、ボンベ４５に内蔵されている開閉弁が固い（弾性材の弾性力が強い）場合であっても、強い力で該開閉弁を開放することができる。またこの噴射装置４０では、押圧部材５４は上記一方及び他方の回転板５２，５３に対して回動自在に配置されてなることから、ボンベ４５の背面を前方に押圧する際に、駆動モータ４９に対して大きな負荷を与えることが防止できるとともに、該押圧部材５４とボンベ４５の背面との間できしみ音や雑音が発生する可能性も低減することができる。
【００５２】
なお、上記第１の実施の形態で説明した噴射装置９や第２の実施の形態で説明した噴射装置４０では、何れも単一のボンベ１２，４５が構成要素とされているが、本発明では、複数のボンベが構成要素とされているものであっても良い。以下、本発明の第３の実施の形態に係る噴射装置について、図面を参照しながら詳細に説明する。
【００５３】
この第３の実施の形態に係る噴射装置６０は、図１３に示すように、例えば、建物や塀等の壁面Ｗにブラケット６１を介して固定されるものであり、合成樹脂により成形された下側筐体６３及び上側筐体６４と、を備えている。上記ブラケット６１は、先端が略水平方向に突出するよう基端が上記壁面Ｗに固定されるブラケット本体６１ａと、下端がこのブラケット本体６１ａの先端側上部に固定され、後述する上記筐体６３に対して固定角度が調節できるように支持する支持金具６１ｂとから構成されている。上記ブラケット本体６１ａは、図１４に示すように、下側が開放されたコ字状の部材からなるものであり、基端には、上記壁面Ｗに固定される二つの固定片６１ｃ，６１ｃが形成されている。また、上記支持金具６１ｂは、後述する第１の筐体半体に固定される一方の起立板６１ｄと、この一方の起立板６１ｄに面対向してなり後述する第２の筐体半体に固定される他方の起立板６１ｅとを備えている。そして、上記下側筐体６３は、図１４に示すように、それぞれ（左右）対称形状に成形されてなる第１の筐体半体６５及び第２の筐体半体６６から構成され、また、上側筐体６４は、対称形状に成形されてなる第３の筐体半体６７及び第４の筐体半体６８から構成されている。なお、上記下側筐体６３は、全体が拳銃の如き外形形状に成形されてなるものである一方、上記上側筐体６４は、カプセルの如き外形形状に成形されている。そして、上記下側筐体６３及び上側筐体６４の先端には、図１３に示すように、それぞれ円弧状の膨出部６３ａ，６４ａが形成され、図１４に示すように、これらの膨出部６３ａ，６４ａの中央には、開口（符号は省略する。）が形成され、該下側筐体６３の膨出部６３ａに形成された開口からは、第１の噴射ノズル６９の先端が外部に露出し、また、上記上側筐体６４の膨出部６４ａに形成された開口からは、第２の噴射ノズル７０の先端が外部に露出している。
【００５４】
また、上記下側筐体６３を構成する上記第１の筐体半体６５及び第２の筐体半体６６の形状（下側筐体６３の形状）は、前記第２の実施の形態で説明したものと基本的に同様であるが、該第１及び第２の筐体半体６５，６６で構成された下側筐体６３の上面には、図１４に示すように、一方の水平面６３ｂが形成され、この一方の水平面６３ｂの前方側中途部には、図１５に示すように、前方側係合（凹）部６３ｃが形成され、後方側中途部には、後方側係合（凹）部６３ｄが形成されている。また、上記第３及び第４の筐体半体６７，６８により構成された上記上側筐体６４の下面には、上記一方の水平面６３ｂと同じ面積とされた他方の水平面６４ｂが形成され、この他方の水平面６４ｂの前方側中途部には、上記前方側係合（凹）部６３ｃに係合する前方側係合（凸）部６４ｃが形成され、後方側中途部には、上記後方側係合（凹）部６３ｄに係合する後方側（凸）部６４ｄが形成されている。すなわち、上記下側筐体６３と上側筐体６４とは、上記前方側係合（凹）部６３ｃと前方側係合（凸）部６４ｃとの係合、及び方側係合（凹）部６３ｄ後方側（凸）部６４ｄとの係合により一体化されている。
【００５５】
また、この第３の実施の形態に係る噴射装置６０では、上記下側筐体６３内には、第１のボンベ７２が収容され、この第１のボンベ７２の後方には、第１の押圧手段が配置されており、また、上記上側筐体６４内には、第２のボンベ７３が収容され、この第２のボンベ７３の後方には、第２の押圧手段が配置されている。なお、上記第１のボンベ７２の前方には、上記第１の噴射ノズル６９が、基端側が該第１のボンベ７２内に挿入された状態で固定されており、また、第２のボンベ７３の前方には、上記第２の噴射ノズル７０が、基端側が該第２のボンベ７０ないに挿入された状態で固定されている。また、この実施の形態では、上記第１及び第２のボンベ７２，７３は、間欠的に１５秒から２０秒程度の時間に亘って内部の開閉弁が開放されることにより、全部噴射される量の催涙ガスが封入されている。なお、上記第１の噴射ノズル６９の上方及び下方には、上記第１のボンベ７２を後方に付勢する弾性体７４，７５が配置されており、また、上記第２の噴射ノズル７０の上方及び下方には、第２のボンベ７３を後方に付勢する弾性体７６，７７が配置されている。また、上記下側筐体６４には、内部に配置された後述する回動軸が挿通される下側挿通孔（符号は省略する。）が形成され、また、上側筐体６４には、上記回動軸が挿通される上側挿通孔（符号は省略する。）が形成されている。
【００５６】
次に、上記第１の押圧手段と、第２の押圧手段に付いて詳細に説明する。この第１の押圧手段は、図１５に示すように、正転及び逆転自在とされた駆動モータ７８と、減速機７９と、回動軸８０と、第１及び第２の回転板８１，８２と、三つの一方の押圧部材８３とを備えている。上記減速機７９は、上記駆動モータ７８の回転速度を減速するものであり、この減速機７９からは上記回動軸８０が突出し、この回動軸８０には、第１の固定リング８４を介して円板状に成形された第１の回転板８１が固定されている。また、この第１の回転板８１の上方には、３本の固定軸（符号は省略する。）を介して円板状に成形された第２の回転板８２が固定されている。そして、上記３本の固定軸には、それぞれ円板状に成形された一方の押圧部材８３が該固定軸を中心に回動自在に支持されている。すなわち、上記第１の回転板８１と第２の回転板８２との間には、上記３つの一方の押圧部材８３が回動自在に配置されている。なお、これら３つの一方の押圧部材８３（及び上記固定軸）は、上記第１及び第２の回転板８１，８２の周方向に等間隔（１２０度ずつずれた位置）に配置されており、また、各一方の押圧部材８３の外周面は、上記第１及び第２の回転板８１，８２の外周面よりも外側に位置している。また、上記第２の回転板８２の中心には、円形状の開口（符号は省略する。）が形成されてなるとともに、該第２の回転板８２の上面には、上記開口と同じ内径とされた開口（符号は省略する。））を第２の固定リング８５が固定されている。この第２の固定リング８５の内周には、図示しないラチェットが配置され、このラチェットには、連結軸８６の下端側が挿入されている。このラチェットは、上記第２の回転板８２が正転する場合には、その回転力を連結軸８６に伝えず、逆転する場合には連結軸８６にその回転力を伝えるように構成されている。
【００５７】
また、上記第１及び第２の回転板８１，８２の後方には、該一方及び他方の回転板８１，８２の回転により上記一方の押圧部材８３と接触する位置検出スイッチ８８が配置されている。また、上記駆動モータ７８と減速機７９の後方には、制御基板８９が固定され、この制御基板８９には、記憶部に接続された中央演算処理装置，上記駆動モータ７８を正転駆動及び逆転駆動させるリレー，後述するタイマー及びカウンター、その他の図示しない電子デバイスが実装された制御回路が形成されており、この制御回路は、上記駆動モータ７８及び上記位置検出スイッチ８８に接続されてなるとともに、前記実施の形態で説明した防犯システムを構成する制御盤に接続されている。また、上記記憶部に接続された中央演算処理装置には、前記実施の形態で説明した第２及び第３のセンサ２，３の両方により侵入者の侵入が検出されたときから所定の時間（５秒）を計測する図示しないタイマーが接続されている。また、制御基板８９には、制動手段としての回生回路が形成され、この回生回路は、上記第１及び第２の回転板８１，８２の惰性回転により回転する駆動モータ７８から発生した起電力を消費する回路であり、上記中央演算処理装置に接続されている。また、さらに、上記制御基板８９には、第１及び第２の切換スイッチ９０，９１が配置され、この噴射装置６０が、後述する第１のモードと第２のモードとにより動作するように構成されている。
【００５８】
また、上記上側筐体６４内に配置された第２の押圧手段は、上記連結軸８６と、この連結軸８６の上端側中途部に固定され円板状に成形された第３の回転板９２と、この回転板９２の外周側に回動自在に三つ配置された他方の押圧部材９３とを備えている。上記他方の押圧部材９３は、それぞれ等間隔（１２０度ずつ離間した位置）に配置されてなるとともに、前記各一方の押圧部材８３の配置位置との関係で説明すれば、互いに６０度ずつ離間した位置に配置されている。なお、上記連結軸８６であって上記第３の回転板９２を間に挟んで下方には一方の軸受９４が、上方には他方の軸受９５が配置されている。
【００５９】
以下、上述した第３の実施の形態に係る噴射装置６０の動作に付いて詳細に説明する。先ず、上記第１の切換スイッチ９０の押圧によりなされる第１のモードによる動作に付いて説明する。先ず、図１７に示すフローチャートにおいて、（前記第１の実施の形態で説明した防犯システム上）前記第２のセンサ２と第３のセンサ３との両方（本発明を構成する検出手段）により侵入者の侵入を検出した場合（ステップＳｔ１）には、上記カウンターにより「１」が加算され（ステップＳｔ２）記憶部にその数値が記憶される。次いで、また、ステップＳｔ３では、カウンターの数値が「４」以上であるか否かが判別され、「４」以上ではない場合には、上記駆動モータ７８が正転し（ステップＳｔ４）、これによって、上記第１及び第２の回転板８１，８２が正転し、上記一方の押圧部材８３により第１のボンベ７２が間欠的に前方に押圧され、上記第１の噴射ノズル６９から催涙ガスが間欠的に噴射される。なお、この場合には、上記ラチェット８５により第１及び第２の回転板８１，８２の回転力は上記連結軸８６に伝えられないことから、催涙ガスは、第１の噴射ノズル６９のみから噴射される。また、上記ステップＳｔ３においてカウンターの数値が「４」以上ではない場合には、タイマーによる計測が開始され、ステップＳｔ６では、所定時間（５秒）が経過したか否かが判別される。ステップＳｔ６で所定時間が経過したと判別された場合には、上記駆動モータ７８が停止し、上記通過検出スイッチ８８が作動状態となる（ステップＳｔ８）。そして、上記一方の押圧部材８３が通過したことを上記通過検出スイッチ８８が検出した（オンした）場合には、上記制動手段である回生回路により惰性で回転する上記第１及び第２の回転板８１，８２が強制的に停止され、ステップSｔ１１において上記通過検出スイッチ８８の作動状態が解除され、元の状態に復帰する。すなわち、上記第１のモードでは、３回に亘って侵入者を検出した場合には、上記第１の噴射ノズル６９のみから催涙ガスを噴射するように構成されている。
【００６０】
一方、上記ステップＳｔ３において、カウンターの数値が「４」以上であると判別された場合には、上記リレーを介して上記駆動モータ７８は逆転する（ステップＳｔ１２）。なお、このようにカウンターの数値が「４」以上である場合には、上記第２のボンベ７２内の催涙ガスは空になっている。そして、このように、駆動モータ７８が逆転すると、上記第１及び第２の回転板８１，８２が逆転するとともに、上記連結軸８６を介して第３の回転板９２も回転し、これによって、上記第２のボンベ７３が上記他方の押圧部材９３により間欠的に前方に押圧され、該第２のボンベ７３内の催涙ガスは、第２の噴射ノズル７０から間欠的に噴射される。なお、この場合において、上記第１のボンベ７２内に催涙ガスが残っている場合においては、この第１の噴射ノズル６９からも催涙ガスが完結的に噴射される。すなわち、この第１のモードによる場合には、侵入者の検出が４回目になされた場合には、第２の噴射ノズル７０から催涙ガスが間欠的に噴射されるように構成されている。
【００６１】
次に、上記第２の切換スイッチ９１の押圧により実行される第２のモードによる動作に付いて説明する。先ず、図１８に示すフローチャートにおいて、（前記第１の実施の形態で説明した防犯システム上）前記第２のセンサ２と第３のセンサ３との両方（本発明を構成する検出手段）により侵入者の侵入を検出した場合（ステップＳｔ２１）には、上記駆動モータ７８が逆転し（ステップＳｔ２２）、これによって、上記第１及び第２の回転板８１，８２が逆転するとともに、上記第３の回転板９２も逆転する。こうした第１ないし第３の回転板８１，８２，９２の逆転により、上記第１のボンベ７２及び第２のボンベ７３は、それぞれ上記一方の押圧部材８３又は他方の押圧部材９３により前方に間欠的に押圧され、上記第１の噴射ノズル６９及び第２の噴射ノズル７０からそれぞれ催涙ガスが間欠的に噴射される。ステップＳｔ２３では、侵入者の検出がされるとタイマーによる計測が開始され、ステップＳｔ２４では、所定時間（５秒）が経過したか否かが判別される。ステップＳｔ２４で所定時間が経過したと判別された場合には、上記駆動モータ７８が停止し（ステップＳｔ２５）、上記通過検出スイッチ８８が作動状態となる（ステップＳｔ２６）。そして、上記一方の押圧部材８３が通過したことを上記通過検出スイッチ８８が検出した（オンした）場合（ステップＳｔ２７）には、上記制動手段である回生回路によって惰性で回転する上記第１及び第２の回転板８１，８２が強制的に停止され、ステップSｔ２９において上記通過検出スイッチ８８の作動状態が解除される。
【００６２】
すなわち、この噴射装置６０では、上記第１の切換スイッチ９０を押圧した場合には、当初は、上記第１の噴射ノズル６９のみから催涙ガスが噴射され、その後に上記条件を満たした場合には、第２の噴射ノズル７０から催涙ガスが噴射されるように構成され、第２の切換スイッチ９１が押圧された場合には、上記第１及び第２の噴射ノズル６９，７０の双方から催涙ガスが噴射されるように構成されている。
【００６３】
このように、上記第３の実施の形態に係る噴射装置６０によれば、第１及び第２のボンベ６９，７０を備えていることから、対応する上記第１の噴射ノズル６９及び第２の噴射ノズル７０の双方から催涙ガスが間欠的に噴射される場合には、一本のボンベが構成要素とされた前記第１及び第２の実施の形態に係る噴射装置９，４０に比べ、広範囲に亘って催涙ガスを噴射することができ、侵入者の撃退効果を著しく高めることができる。また、この噴射装置６０では、第１及び第２のボンベ７２，７３に対応した上記押圧手段が設けられてなるとともに、（上記第２のモードによる場合）該押圧手段は、第１のボンベ７２と第２のボンベ７３とを交互に押圧するよう構成されていることから、単一のボンベを構成要素とした場合に比べて２倍の時間に亘って使用を継続することができ、ボンベを頻繁に交換する必要がない。また、この噴射装置６０では、切換手段である上記第１の切換スイッチ９０又は第２の切換スイッチ９１により、第１のボンベ７２と第２のボンベ７３内に封入された催涙ガスが第１の噴射ノズル６９と第２の噴射ノズル７０とから交互に噴射される場合と、第１の噴射ノズル６９のみから噴射される場合とを選択することができることから、この噴射装置６０の設置数、設置される場所或いは噴射される場所の広さ，設置高さ等の各種の環境に応じて、一つの装置６０により、侵入者を撃退する上で最も効果的なパターンを選択することができる。
【００６４】
なお、前記各実施の形態に係る噴射装置９，４０，６０では、催涙ガスが封入されたボンベを構成要素としたが、本発明は、こうした催涙ガスに限定されるものではなく、洗浄が困難な又は発色性の高い塗料，粘着剤等が封入されているものであっても良い。
【図面の簡単な説明】
【００６５】
【図１】侵入者を検出するセンサや侵入者撃退用噴射装置が建物の敷地内に配置された状態を模式的に示す平面図である。
【図２】第１の実施の形態に係る侵入者撃退用噴射装置の外観を示す斜視図である。
【図３】図２に示す侵入者撃退用噴射装置の正面図である。
【図４】図２に示す侵入者撃退用噴射装置を示す分解斜視図である。
【図５】ボンベの先端側の内部構造と噴射ノズルとの関係を示す側断面図ある。
【図６】第１の実施の形態に係る侵入者撃退用噴射装置の内部構造を示す側断面図である。
【図７】図６に示す状態からプランジャーが移動し、催涙ガスが噴射されている状態を示す側断面図である。
【図８】第２の実施の形態に係る侵入者撃退用噴射装置の外観を示す斜視図である。
【図９】図８に示す侵入者撃退用噴射装置の正面図である。
【図１０】図８に示す侵入者撃退用噴射装置の内部構造を示す側断面図である。
【図１１】第２の実施の形態に係る侵入者撃退用噴射装置の内部構造を示す側断面図である。
【図１２】図１１に示す状態から回転板が回転し押圧部材によりボンベが押圧され催涙ガスが噴射されている状態を示す側断面図である。
【図１３】第３の実施の形態に係る侵入者撃退用噴射装置の側面図である。
【図１４】図１３に示す侵入者撃退用噴射装置を示す正面図である。
【図１５】図１３に示す侵入者撃退用噴射装置の内部構造を示す側断面図である。
【図１６】一方の押圧部材と他方の押圧部材との配置関係を模式的に示す模式図である。
【図１７】第１の切換スイッチにより切り換えられた場合の動作を示すフローチャートである。
【図１８】第２の切換スイッチにより切り換えられた場合の動作を示すフローチャートである。
【符号の説明】
【００６６】
２    第２のセンサ
９    侵入者撃退用噴射装置
１０    筐体
１１    噴射ノズル
１２    ボンベ
２１    開閉弁
２７    ソレノイド
２９    係合片
４０    侵入者撃退用噴射装置
４３    筐体
４４    噴射ノズル
４５    ボンベ
４９    駆動モータ
５１    回転軸
５２    一方の回転板
５３    他方の回転板
５４    押圧部材
５９    回生ブレーキ
６０    侵入者撃退用噴射装置
６３    下側筐体
６４    上側筐体
６９    第１の噴射ノズル
７０    第２の噴射ノズル
７２    第１のボンベ
７３    第２のボンベ
７８    駆動モータ
８０    回動軸
８１    第１の回転板
８２    第２の回転板
８３    一方の押圧部材
８６    連結軸
９２    第３の回転板
９３    他方の押圧部材
９０    第１の切換スイッチ
９１  第２の切換スイッチ
【図１】
2006146599.tif 000003
【図２】
2006146599.tif 000004
【図３】
2006146599.tif 000005
【図４】
2006146599.tif 000006
【図５】
2006146599.tif 000007
【図６】
2006146599.tif 000008
【図７】
2006146599.tif 000009
【図８】
2006146599.tif 000010
【図９】
2006146599.tif 000011
【図１０】
2006146599.tif 000012
【図１１】
2006146599.tif 000013
【図１２】
2006146599.tif 000014
【図１３】
2006146599.tif 000015
【図１４】
2006146599.tif 000016
【図１５】
2006146599.tif 000017
【図１６】
2006146599.tif 000018
【図１７】
2006146599.tif 000019
【図１８】
2006146599.tif 000020